(57)【要約】歯科閉塞具が歯根管の調製に使用される。本発明の閉塞具は、ある特定の距離で根管内に結合するように構築され、それによって根管の端部に生じ得る損傷を防止する。様々な構造形状が開示される。
2007503939.tif 000002
【特許請求の範囲】
【請求項１】
予め調製された根管内に充填材および封止材料を挿入する歯科用閉塞具であって、
尖った先端で終端するテーパ部分に接合された固定した直径部分を有するロッド状キャリヤと、
前記テーパ部分の表面上に前記先端から所定の距離だけ後退した位置にあり、前記先端が前記根管の終端から所定の距離となったときに前記キャリヤを前記根管内に結合させる少なくとも１つの突起部とを含む歯科用閉塞具。
【請求項２】
前記根管終端からの前記所定の距離が１ｍｍである、請求項１に記載の歯科用閉塞具。
【請求項３】
前記少なくとも１つの突起部が、前記キャリヤのまわりで等間隔の位置で、前記キャリヤの外側表面から突出した３つの球状バンプを含む、請求項１に記載の歯科用閉塞具。
【請求項４】
前記キャリヤの前記外側表面から突出した前記３つの球状バンプが、前記キャリヤの外周まわりで１２０度間隔で離隔される、請求項１に記載の歯科用閉塞具。
【請求項５】
前記少なくとも１つの突起部が、前記キャリヤの外側表面から突出する、９０度で離隔された３つの球状バンプを含む、請求項１に記載の歯科用閉塞具。
【請求項６】
２つの隣接するバンプの間に１８０度の間隙があり、さらに、前記間隙内で前記キャリヤに沿って延びる浅溝を含む、請求項５に記載の歯科用閉塞具。
【請求項７】
前記キャリヤを取り囲むとともに、前記先端から第２の所定の距離だけ後退した位置から、前記固定直径部分の、前記テーパ部分と前記固定直径部分との間の移行部を越えた点まで延びる封止材料プラグをさらに含む、請求項１に記載の歯科用閉塞具。
【請求項８】
前記封止材料プラグが、前記キャリヤの前記テーパ部分の角度と同じテーパ角度でテーパが付けられている、請求項６に記載の歯科用閉塞具。
【請求項９】
前記封止材料プラグの前方端部が、前記先端から約１．５ｍｍ後退した位置にある、請求項７に記載の歯科用閉塞具。
【請求項１０】
前記キャリヤが、前記先端から所定の距離にわたって封止材料を有しない、請求項７に記載の歯科用閉塞具。
【請求項１１】
前記所定の距離が、０．５〜３ｍｍの範囲である、請求項１０に記載の歯科用閉塞具。
【請求項１２】
前記所定の距離が１．５ｍｍである、請求項１１に記載の歯科用閉塞具。
【請求項１３】
前記プラグの前記材料がグッタペルカである、請求項７に記載の歯科用閉塞具。
【請求項１４】
前記プラグの前記材料が合成ポリマーである、請求項７に記載の歯科用閉塞具。
【請求項１５】
前記プラグの前記材料が接合樹脂である、請求項７に記載の歯科用閉塞具。
【請求項１６】
前記キャリヤが、加熱炉の保持腕部内で前記キャリヤを支持するように、前記キャリヤの前記固定直径部分に沿って外形要素に高さを与えるための、外方に突出した円錐台形カラー部材をさらに含む、請求項１に記載の歯科用閉塞具。
【請求項１７】
前記固定直径部分が、前記テーパ部分から離れた切断端部で終端する、請求項１に記載の閉塞具。
【請求項１８】
前記カラー部材を越えて前記キャリヤの延長部をさらに含み、前記延長部が前記固定直径部分と同じ直径であり、それによって患者の根管内に１つまたは複数の歯科用閉塞具を配置しやすくなる、請求項１６に記載の歯科用閉塞具。
【請求項１９】
前記少なくとも１つの突起部が、前記テーパ部分の前記外側表面に軸方向に沿って延びる、前記テーパ部分のまわりで一定間隔で離隔された複数の隆起部を含む、請求項１に記載の歯科用閉塞具。
【請求項２０】
前記隆起部が合計で３つあり、それらの間の前記外周方向の間隔が１２０度である、請求項１９に記載の歯科用閉塞具。
【請求項２１】
前記隆起部が、前記テーパ部分のまわりで螺旋状で配向される、請求項１９に記載の歯科用閉塞具。
【請求項２２】
前記バンプのそれぞれが、前記バンプの前記位置における前記キャリヤ径の１／４の直径を有する球体の一部分である、請求項３に記載の歯科用閉塞具。
【請求項２３】
各球体切断バンプは、その中心が、前記バンプが位置する点において前記表面に隣接するように、前記キャリヤの前記外側表面上に取り付けられる、請求項３に記載の歯科用閉塞具。
【発明の詳細な説明】
【技術分野】
【０００１】
本願は、２００３年９月５日出願の米国特許仮出願第６０／５００，６２３号の優先権を主張するものである。
【０００２】
本発明は、歯科用器具に関し、より詳細には、特に根管に封止材料を充填するために設計されたかかる器具に関する。
【背景技術】
【０００３】
歯科用閉塞具は、しばしば充填器、または発熱体を備える場合には加熱キャリヤ／充填器とも呼ばれ、予め調製された根管内にテーパ状のグッタペルカ（ｇｕｔｔａ  ｐｅｒｃｈａ）円錐体を挿入し充填するように設計される。本発明者の米国特許第５，９２１，７７５号は、歯内治療システムについて述べており、このシステムでは、根管を調製する際に特定のテーパを安全に作成するように設計された成形具、灌注カニューレ、充填器具、および関連する材料が提供される。これらの様々な器具は全て同じテーパを有して設計されており、フルート長１ｍｍ当たりのテーパが標準ＩＳＯの０．０２ｍｍよりも大きいものが好ましい。本発明者のこの特許は、０．０２テーパ（ＩＳＯ標準）よりも大きいテーパを使用することから得られるいくつかの利点、さらに、全てのファイル（ｆｉｌｅ）および補助器具が同じテーパを有することから得られる利点について述べている。
【０００４】
歯髄を除去し、根管をグッタペルカなどの充填材料を受けるのに最適な形状に成形することによって根管を調製する際、根管ファイルの穿通深さを制御し、穿通深さを根尖までに制限することは、極めて重要である。Ｖｉｃｅの米国特許第４，０２８，８１０号に開示されるように、従来技術で周知の処置の１つでは、関係する歯の長さ、ならびに根管の長さがＸ線を用いて正確に測定される。
【０００５】
充填材料を挿入する最終ステップのための準備において、根管が拡大され成形されているとき、根尖の深さを常に把握するために探索ファイルが使用され得る。穿通深さを安全な程度までに制限するのに様々な方法が使用される。根管を越えて穿通し、それによって損傷、ならびに隣接する歯周組織および骨構造に生じ得る感染症を招かないように、細心の注意が払われなければならない。
【０００６】
Ｖｉｃｅの米国特許第４，０２８，８１０号はまた、細長い作業工具のシャフトに、入れ子式に調整可能に取り付けられたハンドル部分を開示する。この構成は、ハンドルから突出した工具の作業長を素早く正確に調整する手段を実現する。
【０００７】
Ｆｏｒｒｅｓｔ他の米国特許第３，９１１，５８７号は、所定の深さの複数の盲穴が形成された基準装置（ｒｅｆｅｒｅｎｃｅ  ｄｅｖｉｃｅ）の使用を開示する。これらの装置は、周知の根管深さの範囲をカバーしており、処置において使用される器具にマーカを付けることによって、その器具の挿入を可能にするものである。
【０００８】
Ｓａｒｆａｔｔｉの米国特許第４，１６５，５６２号は、互いに嵌合するねじ山を備えたベースおよびスリーブを開示しており、このねじ山によってファイルのスリーブに対する長手方向の正確な調整が容易になる。このスリーブの底端部は、歯に当接する止め部として利用され、それによってファイル穿通深さを制限する。
【特許文献１】米国特許第４，０２８，８１０号明細書
【特許文献２】米国特許第３，９１１，５８７号明細書
【特許文献３】米国特許第４，１６５，５６２号明細書
【発明の開示】
【発明が解決しようとする課題】
【０００９】
上記およびその他の同様の設計の従来技術による装置は、使用に際していくつかの欠点を有する。こうした装置は、構造的に幾分扱いにくく、使用するのに時間がかかり、その結果、歯内治療医はかかる器具を使用するステップを回避し、調製ファイルを用いて直接根管に対して作業を行うことがあり、ときとして取り返しの付かない結果となる。
【課題を解決するための手段】
【００１０】
簡潔に述べると、本発明による特定の構成は、臨床医が、患者の椅子の脇にいながらＧＴ閉塞具を使用する際に、より扱いやすく、より正確に配置できるように役立つ新しい設計概念を提示する。また、得られる効率およびキャリヤの一体設計によって、同じ予約された時間内でより多くの作業を完了することが可能になる。本発明によるＧＴ閉塞具は、本発明者の米国特許第５，９２１，７７５号にて詳述される、根管内に予め規定されたテーパ形状を確立するＧＴファイルを用いて作成された根管形状内で使用されるように設計される。
【００１１】
本発明の閉塞具は、キャリヤの表面から突出し、テーパ状根管の端部から後退したある点でキャリヤの挿入を止める１つまたは複数の突起部を有する特定の構造形状を有する。かかる構成の１つでは、こうした突起部は、キャリヤの先端から３ｍｍ後退した位置にあるキャリヤ自動止めバンプの形である。これらの突起部は、キャリヤ表面の３方に、全て先端から同じ３ｍｍの距離で取り付けられる。ＧＴファイルによって作成された予め規定された形状において、これらのバンプは、キャリヤの先端が根管の終端から厳密に１ｍｍとなったときに自動的に根管壁と結合するように寸法設定される。この設計からいくつかの利点が得られる。
【００１２】
より重要な利点の１つは、その使いやすさにある。というのは、キャリヤはもはや測定される必要がなく、または、グッタペルカ充填材料を加熱炉内に入れる前に止め部を調整する必要がないからである。このキャリヤは、事実上、その梱包から取り出され、加熱され、次いで歯に配置されるだけでよい。
【００１３】
この自動止め部の使用から得られるもう１つの利点として、臨床医は、根管を充填する際に、様々に異なる歯根尖に正確に合わせる必要がなくなる。言い換えれば、臨床医間での、キャリヤを正確に配置する能力のばらつきが均一化されたことになる。
【００１４】
さらなる利点として、キャリヤはそこに加えられる力に関わらず歯根尖に対して動かされることができないので、この場合では、歯科医の同じ診察内で、キャリヤの歯冠部分を貫通して支柱空間が穿孔されることが可能となる。これまでに周知の設計では、封止材およびグッタペルカが完全に固まってキャリヤを所定位置に保持してから２度目の診察を受ける必要があった。グッタペルカおよび封止剤が固まる前に支柱空間ドリルを用いて支柱空間を削ると、しばしばキャリヤの過剰挿入や、根管終端を越えての不要な充填材料の過剰放出を招くことがある。
【００１５】
本発明による別の特定の構成では、設けられるキャリヤハンドルの直径は、寸法が大幅に縮小されている。現在使用されているハンドルは、助手が、加熱済みキャリヤを根管内に配置するために医師に手渡すのに使用される脱脂綿固定プライヤを用いては把持しにくいものである。本発明に従ってキャリヤハンドルの直径を縮小させると、ハンドルは、脱脂綿プライヤではるかに把持しやすくなる。また、ハンドルをより小さくすることによって、キャリヤを配置する間、医師は、操作視野を塞ぐ自らの指の周りを見回す必要なく、アクセス用の窩洞が著しく見やすくなる。さらに、複数の根管を有する歯では、２つのキャリヤをそれぞれのハンドルを並べて配置することは困難であり、３つ以上のキャリヤを配置するには、それらのハンドルを切除しなければ不可能である。
【００１６】
概略的に述べると、本発明による改良型構成を用いることにより、充填材料の配置および充填は、キャリヤを用いて充填するのにこれまで必要とされてきた時間の半分で遂行されることができ、支柱空間が必要な場合は、費用のかかる２度目の予約の必要がなくなる。また、本発明の構成を使用すると、充填長の誤りがなくなり、また、１本の歯に複数のキャリヤを順次配置し、その後全てのキャリヤを一度の切断作業で切断することが可能になるという利点が得られる。その結果、歯科医はその作業により集中することが可能となり、彼らの技術にはそれほど依存しなくなる。
【００１７】
本発明の特定の一実施形態では、表面突起部は、キャリヤの外側表面に、好ましくは、先端からキャリヤ長の３分の１の距離で取り付けられたほぼ部分球体の形態である。これらの表面突起部（「バンプ」）は、３つからなるグループで位置し、キャリヤの外周まわりでほぼ等距離で、全て先端から同じ距離で離隔される。各横並びのバンプ（ｔｒａｎｓｖｅｒｓｅ  ｂｕｍｐ）の中心はキャリヤの外径上に位置する。各球状突起部の直径は、好ましくはバンプの位置におけるキャリヤ径の１／４である。
【００１８】
本発明の別の特定の実施形態では、各突起部は、離隔された隆起部の形態であり、やはりキャリヤの外周まわりで概して等距離で取り付けられる。この実施形態の変形形態として、各隆起部は螺旋状に配置されてもよい。隆起形の実施形態を使用することによる利点は、キャリヤを根管内に挿入する際に幾分の余裕が生じる点である。特に螺旋隆起部の実施形態は、充填材料がキャリヤに沿ってよりしっかりと保持されるように支持することにもなる。
【００１９】
本発明のこれらの実施形態では、キャリヤはその長さの最端部１．５ｍｍはむき出しになっていることが好ましい。これはすなわち、その先端から１．５ｍｍに沿っては充填材料が延在しないことを意味する。したがって、グッタペルカが先端を越えて延在し、使用前にその部分を削り取らなければならない現在の慣行とは違って、その先端からグッタペルカを除去する必要がなくなる。
【００２０】
以下の詳細な説明を添付の図面と併せて考慮することにより、本発明のより良い理解が得られるであろう。
【発明を実施するための最良の形態】
【００２１】
図１および２は、使用準備が整った本発明の特定の一実施形態を示す。これらの図に示されるように、キャリヤ１０は、先端１２、テーパ部分１４、および切断端部１８で終端する直径が一定の部分１６を備える。テーパ部分１４は、先端１２から点１５まで延びる。キャリヤ１０は、プレート２２まで後方端部に延びるグッタペルカプラグ２０がその上に配置された状態で示される。プラグ２０は、先端１２から約１．５ｍｍ後退した位置にある前方端部２４で終端する。テーパ部分１４の長さはａで示される。テーパ長１４の先端１２から約３分の１（ａ／３）には、球状突起部またはボタン３０がある。このボタン３０（３つのうちの１つ）は、キャリヤの外側表面に先端１２から距離ｂで取り付けられる。キャリヤ１０の一定の直径部分には、円筒形の触覚カラー３２があり、このカラーは、キャリヤ１０の一定直径部分１６の外側表面との接合点から外方にテーパが付いている。カラー３２は、キャリヤ上のその点の触覚的指示を使用者に与える働きをするとともに、グッタペルカを加熱する際に炉の腕部における止め部としても働く。
【００２２】
図２で最もよく分かるように、キャリヤ１０は、キャリヤ１０の外側表面から突出した３つの球状バンプまたはボタン３０を有する。図２では、バンプの位置におけるキャリヤの直径がＣＤ３として示される。キャリヤ１０のテーパ部分１４に沿って、細長い浅溝４０が軸方向に延びている。この溝があるため、グッタペルカプラグ２０からキャリヤをより引き抜きやすくなる。プラグ２０の近位端に、キャリヤに沿って摺動可能なプレート２２が配置される。このプレート２２は、プラグ２０の配置後、根管からキャリヤが除去される際、キャリヤ１０が引き抜かれるときにプラグ２０を定位置に保持する働きをする。
【００２３】
図２に示されるように、各ボタン３０は、キャリヤ１０の外周まわりで約１２０度の位置で等間隔に配置されてよい。あるいは、各ボタン３０は、中央のボタン３０がキャリヤ１０の溝４０とは反対側にある状態で約９０度で離隔してもよい。
【００２４】
図３、４、および５には、球状ボタン３０を有するキャリヤ１０が示される。この型式では、各ボタン３０は、テーパ部分１４の外周まわりで各１２０度で配置される。図３の実施形態のキャリヤは、隣接する止めプレート２２’を備えたカラー３２を有し、この止めプレートは、キャリヤ１０に沿って摺動可能であり、キャリヤが根管から引き抜かれるときにプラグを定位置に保持する。
【００２５】
図６、７、および８は、図３、４、および５それぞれの代替実施形態を示す。図６および７は、テーパ部分１１４、先端１１２、触覚要素１３２、および保持プレート１２２を有するキャリヤ１１０の側面図である。このキャリヤ１１０は、第１の実施形態のボタン３０の代わりに、キャリヤ表面から外方に突出した３つの細長い縦長隆起部１３０を有する。これらの縦長隆起部１３０は丸みを帯びた形状で、バンプ３０と同じ機能として働き、キャリヤ１１０がそのテーパ部分上にグッタペルカプラグ２０が取り付けられて根管内に挿入されたときに、キャリヤの止め部となる。これらの隆起部は細長いので、キャリヤ１１０のテーパ部分上のグッタペルカプラグにバンプ３０よりもしっかりと取り付けられることになる。その他の点では、キャリヤ１１０の使用は、キャリヤ１０の使用と基本的に同じである。キャリヤ１１０もやはり、キャリヤの片側に沿って浅溝１４０を有し、それによってグッタペルカプラグからキャリヤをより引き抜きやすくなる。
【００２６】
図９、１０および１１は、触覚カラー２３２、テーパ部分２１４、および先端２１２を有するキャリヤ２１０が示された、本発明のさらに別の実施形態を示す。３つの螺旋隆起部２３０が、図６の実施形態の隆起部１３０と同様にテーパ部分２１４に沿って配置されるが、これらの隆起部２３０は、わずかに螺旋状になっている点が異なる。その他の点では、キャリヤ２１０は、図６の実施形態のキャリヤ１１０と基本的に同じである。隆起部２３０を螺旋状にすることによって、グッタペルカプラグをキャリヤに保持しておく力が増大する。
【００２７】
図１２、１３、および１４は、それぞれ、図３、６、および９の３つの実施形態がシミュレートされた写真である。これらの図は、これらのキャリヤには、一般に直径がキャリヤ径よりもはるかに大きい従来型のハンドルがないことを示す。キャリヤの外側端部から放射状に延びるハンドルがないので、より多くのキャリヤが互いに干渉せずに根管内に挿入されることが可能である。従来型のハンドルを有するキャリヤでは、一時に多くとも２本のキャリヤしか挿入されることができない。キャリヤの範囲を越えて延びるハンドルのないキャリヤを提供する本発明の特徴では、各根管に１つずつ、１本の歯に４本ものキャリヤが挿入され得、それらの外側端部は、その後全て一度で切断されることが可能である。
【００２８】
図１５Ａ〜１５Ｂ、１６Ａ〜１６Ｂ、および１７Ａ〜１７Ｂは、それぞれ、図１２、１３、および１４に示されるキャリヤがシミュレートされた拡大写真である。図１５、１６、および１７は、それぞれ、図１２、１３、および１４に示される要素と対応する同じ参照番号によって示された同じ要素を示す。
【００２９】
本発明による改良型閉塞具の様々な特定の構成について、本発明が有利に使用され得る方式を例示する目的で上記で説明してきたが、本発明はそれのみに限定されるものではないことが理解されよう。したがって、当業者なら思いつくであろうどんな改変形態、変形形態、または同等の構成も全て、添付の特許請求の範囲で定義される本発明の範囲に含まれるものとみなされるべきである。
【図面の簡単な説明】
【００３０】
【図１】本発明によるキャリヤ／閉塞具を示す概略図である。
【図２】図１の線２−２に沿った断面図である。
【図３】本発明による特定の一キャリヤの概略側面図である。
【図４】図３のキャリヤの部分拡大図である。
【図５】図３のキャリヤの右側端部から見た概略図である。
【図６】本発明による別のキャリヤの概略側面図である。
【図７】図６のキャリヤの部分拡大図である。
【図８】図６のキャリヤの右側端部から見た概略図である。
【図９】本発明によるさらに別のキャリヤの概略側面図である。
【図１０】図９のキャリヤの部分拡大図である。
【図１１】図９のキャリヤの右側端部から見た概略図である。
【図１２】図３のキャリヤがシミュレートされた写真である。
【図１３】図６のキャリヤがシミュレートされた写真である。
【図１４】図９のキャリヤがシミュレートされた写真である。
【図１５Ａ】図１２のキャリヤの拡大図である。
【図１５Ｂ】図１２のキャリヤの拡大図である。
【図１６Ａ】図１３のキャリヤの拡大図である。
【図１６Ｂ】図１３のキャリヤの拡大図である。
【図１７Ａ】図１４のキャリヤの拡大図である。
【図１７Ｂ】図１４のキャリヤの拡大図である。
【図１】
2007503939.tif 000003
【図２】
2007503939.tif 000004
【図３】
2007503939.tif 000005
【図４】
2007503939.tif 000006
【図５】
2007503939.tif 000007
【図６】
2007503939.tif 000008
【図７】
2007503939.tif 000009
【図８】
2007503939.tif 000010
【図９】
2007503939.tif 000011
【図１０】
2007503939.tif 000012
【図１１】
2007503939.tif 000013
【図１２】
2007503939.tif 000014
【図１３】
2007503939.tif 000015
【図１４】
2007503939.tif 000016
【図１５Ａ】
2007503939.tif 000017
【図１５Ｂ】
2007503939.tif 000018
【図１６Ａ】
2007503939.tif 000019
【図１６Ｂ】
2007503939.tif 000020
【図１７Ａ】
2007503939.tif 000021
【図１７Ｂ】
2007503939.tif 000022
【手続補正書】
【提出日】平成18年5月9日(2006.5.9)
【手続補正１】
【補正対象書類名】特許請求の範囲
【補正対象項目名】全文
【補正方法】変更
【補正の内容】
【特許請求の範囲】
【請求項１】
予め調製された根管内に充填材および封止材料を挿入する歯科用閉塞具であって、
尖った先端で終端するテーパ部分に接合された一定の直径部分を有するロッド状キャリヤと、
前記テーパ部分の外側表面上に前記先端から所定の距離だけ後退した位置にあり、前記先端が前記根管の終端から所定の距離となったときに前記キャリヤを前記根管内に結合させる少なくとも１つの突起部とを含む歯科用閉塞具。
【請求項２】
前記根管終端からの前記所定の距離が１ｍｍである、請求項１に記載の歯科用閉塞具。
【請求項３】
前記少なくとも１つの突起部が、前記キャリヤのまわりで等間隔の位置で、前記キャリヤの外側表面から突出した３つの球状バンプを含む、請求項１に記載の歯科用閉塞具。
【請求項４】
前記キャリヤの前記外側表面から突出した前記３つの球状バンプが、前記キャリヤの外周まわりで１２０度間隔で離隔される、請求項３に記載の歯科用閉塞具。
【請求項５】
前記少なくとも１つの突起部が、前記キャリヤの外側表面から突出する、９０度で離隔された３つの球状バンプを含む、請求項３に記載の歯科用閉塞具。
【請求項６】
２つの隣接するバンプの間に１８０度の間隙があり、さらに、前記間隙内で前記キャリヤに沿って延びる浅溝を含む、請求項５に記載の歯科用閉塞具。
【請求項７】
前記キャリヤを取り囲むとともに、前記先端から第２の所定の距離だけ後退した位置から、前記一定の直径部分の点まで延びる封止材料のプラグをさらに含む、請求項１に記載の歯科用閉塞具。
【請求項８】
前記封止材料のプラグが、前記キャリヤの前記テーパ部分の角度と同じテーパ角度でテーパが付けられている、請求項７に記載の歯科用閉塞具。
【請求項９】
前記封止材料のプラグの、前記先端に隣接する端部が、前記先端から約１．５ｍｍ後退した位置にある、請求項７に記載の歯科用閉塞具。
【請求項１０】
前記キャリヤが、前記先端から所定の距離にわたって封止材料を有しない、請求項７に記載の歯科用閉塞具。
【請求項１１】
前記所定の距離が、０．５〜３ｍｍの範囲である、請求項１０に記載の歯科用閉塞具。
【請求項１２】
前記所定の距離が１．５ｍｍである、請求項１１に記載の歯科用閉塞具。
【請求項１３】
前記プラグの前記材料がグッタペルカである、請求項７に記載の歯科用閉塞具。
【請求項１４】
前記プラグの前記材料が合成ポリマーである、請求項７に記載の歯科用閉塞具。
【請求項１５】
前記プラグの前記材料が接合樹脂である、請求項７に記載の歯科用閉塞具。
【請求項１６】
前記キャリヤが、加熱炉の保持腕部内で前記キャリヤを支持するように、前記キャリヤの前記一定直径部分に沿って外形要素に高さを与えるための、外方に突出した円錐台形カラー部材をさらに含む、請求項１に記載の歯科用閉塞具。
【請求項１７】
前記一定直径部分が、前記テーパ部分から離れた切断端部で終端する、請求項１に記載の閉塞具。
【請求項１８】
前記カラー部材を越えて前記キャリヤの延長部をさらに含み、前記延長部が前記一定直径部分と同じ直径であり、それによって患者の根管内に１つまたは複数の歯科用閉塞具を配置しやすくなる、請求項１６に記載の歯科用閉塞具。
【請求項１９】
前記少なくとも１つの突起部が、前記テーパ部分の前記外側表面に軸方向に沿って延びる、前記テーパ部分のまわりで一定間隔で離隔された複数の隆起部を含む、請求項１に記載の歯科用閉塞具。
【請求項２０】
前記隆起部が合計で３つあり、それらの間の前記外周方向の間隔が１２０度である、請求項１９に記載の歯科用閉塞具。
【請求項２１】
前記隆起部が、前記テーパ部分のまわりで螺旋状で配向される、請求項１９に記載の歯科用閉塞具。
【請求項２２】
前記バンプのそれぞれが、前記バンプの前記位置における前記キャリヤ径の１／４の直径を有する球体の一部分である、請求項３に記載の歯科用閉塞具。
【請求項２３】
各球体の横並びのバンプは、その中心が、前記バンプが位置する点において前記表面に隣接するように、前記キャリヤの前記外側表面上に取り付けられる、請求項３に記載の歯科用閉塞具。
【国際調査報告】
2007503939.tif 000023
2007503939.tif 000024